(57)【要約】【課題】  複雑さを大して増大させることなく簡単に取り外しできる急速継手を提供すること。【解決手段】  メスコネクタ本体、管状オス部材、主リテーナおよび補助ラッチ／確認機構を備える急速継手が提供されている。メスコネクタ本体は、貫通内孔と、その内孔に開いた横断方向スロットとを有する。環状アップセットを有するオス管状部材は、貫通内孔内に延在する。主リテーナは、スロット内に配置されて、オス部材をコネクタ本体に取り外し可能に接続する。補助ラッチ／確認機構は、スロット内に配置されて、コネクタ本体に取り外し可能に結合され、主リテーナの取り外しを阻止するラッチ位置とラッチ解除位置との間を移動可能である。１つの形では、補助ラッチは、オス部材の挿入時に補助ラッチをそのラッチ解除位置に移動させるように構成されたリテーナビームを有する。別の形では、補助ラッチ／確認機構は、外部に配置された確認機構と、オス部材を取り外し可能に保持する追加ラッチとを有する。【選択図】      図１
2005291497.tif 000002
【特許請求の範囲】
【請求項１】
流体管路内で切り離し可能な接続を行うための急速継手であって、
コネクタ本体であって、該コネクタ本体のオス受け取り端部から延在する貫通内孔を画定するコネクタ本体を備え、
該本体は、前記貫通内孔に開いたスロットを有するリテーナハウジング部分を画定し、また、
前記コネクタ本体内に管状オス部材を取り外し可能に固定する主リテーナ部材であって、前記コネクタ本体に取り外し可能に結合され、また、前記本体内のスロット内に互いに間隔をおいて配置された脚部を有し、該脚部は、ロック位置と、前記脚部間の空間が増加するロック解除位置との間を移動可能である、主リテーナ部材と、
前記コネクタ本体に取り外し可能に結合された個別の補助ラッチ／確認機構部材であって、前記本体のスロット内に配置されて、前記コネクタ本体に対して前記主リテーナに接近およびそれから離れる方向に移動してラッチ解除位置およびラッチ位置間を移動可能である個別の補助ラッチ／確認機構部材と、
を備える急速継手。
【請求項２】
前記脚部は、自由端部を有し、前記補助ラッチ／確認機構は、連結部材から延出した１対の弾性フィンガを有する横方向部分を有し、前記フィンガは、前記補助ラッチ／確認機構が前記ラッチ位置にあるとき、前記脚部の前記自由端部の横方向外側に位置する自由端部を有する、請求項１に記載の急速継手。
【請求項３】
前記脚部および前記フィンガは、前記補助ラッチ／確認機構が前記ラッチ解除位置にある場合だけ、前記脚部が前記ロック位置から前記ロック解除位置へ移動可能であるようにする寸法である、請求項２に記載の急速継手。
【請求項４】
前記補助ラッチ／確認機構が前記ラッチ解除位置から前記ラッチ位置に移動するとき、前記脚部が前記ロック解除位置にある場合、前記補助ラッチ／確認機構の前記フィンガは、前記主リテーナの前記脚部の前記自由端部と接触し、該接触により、前記補助ラッチ／確認機構が前記ラッチ位置をとることが防止される、請求項３に記載の急速継手。
【請求項５】
前記脚部は、横部材によって接続されており、また、該横部材を前記コネクタ本体の方に押し付けることにより、前記ロックおよびロック解除位置間を横方向に移動可能である、請求項２に記載の急速継手。
【請求項６】
前記コネクタ本体は、上部支持部材、該上部支持部材から間隔をおいた１対の側部支持部材であって、前記上部支持部材および該側部支持部材間に１対の上部スロットを画定する１対の側部支持部材を有し、前記本体はさらに、１対の中央支持部材および１対の底部支持部材を有し、前記中央支持部材および前記底部支持部材は、１対の側部スロットおよび１つの底部スロットを画定し、前記主リテーナの前記横部材は、前記上部支持部材の上に重なり、前記脚部は前記上部スロットを通って延出し、前記脚部の前記自由端部は、前記側部スロット内に露出し、前記補助ラッチ／確認機構の前記連結部材は、前記底部スロットの上に重なって、前記フィンガは前記側部スロットにはまる、請求項５に記載の急速継手。
【請求項７】
前記底部支持部材は、横方向に向いたロックリッジを有し、前記フィンガの前記自由端部の各々は、ノッチを有するフックを画定し、前記補助ラッチ／確認機構が前記ラッチ解除位置にあるとき、前記ノッチが前記ロックリッジを取り外し可能に受け取る、請求項６に記載の急速継手。
【請求項８】
前記フィンガは、保持ランドを有し、前記補助ラッチ／確認機構が前記ラッチ位置にあるとき、該保持ランドが前記ロックリッジを受け取る、請求項７に記載の急速継手。
【請求項９】
前記フィンガは、前記ノッチおよび前記保持ランド間に移行表面を画定する、請求項８に記載の急速継手。
【請求項１０】
前記中央支持部材の各々は、ロック肩部を画定し、前記脚部の前記自由端部の各々は、ラッチを画定し、前記脚部の各々の前記ラッチは、前記主リテーナが前記ロック位置にあるとき、前記中央支持部材の１つのロック肩部に取り外し可能に固定される、請求項９に記載の急速継手。
【請求項１１】
前記補助ラッチ／確認機構は、前記底部スロット内を前記貫通内孔に接近およびそれから離れる方向に摺動可能なリテーナビームをさらに有し、該リテーナビームは、前記補助ラッチ／確認機構が前記ラッチ位置にあるとき、前記貫通内孔内に露出するような長さである、請求項１０に記載の急速継手。
【請求項１２】
前記リテーナビームには、オス部材が前記コネクタ本体内に不完全に挿入されているとき、前記オス部材と接触して、前記補助ラッチ／確認機構が前記ラッチ解除位置から前記ラッチ位置に配置されることを防止する、チューブに面する半径方向内面が設けられる、請求項１１に記載の急速継手。
【請求項１３】
前記リテーナビームには、オス部材と軸方向に当接する表面であって、オス部材が前記コネクタ本体内に完全に挿入されたとき、前記オス部材に軸方向に当接する関係に移動可能である表面が設けられる、請求項１１に記載の急速継手。
【請求項１４】
前記リテーナビームには、オス部材と軸方向に当接する表面であって、オス部材が前記コネクタ本体内に完全に挿入されたとき、前記オス部材に軸方向に当接する関係に移動可能である表面が設けられる、請求項１２に記載の急速継手。
【請求項１５】
前記リテーナビームには、前記コネクタ本体の前記オス部材受け取り端部の方に面して、前記補助ラッチ／確認機構が前記ラッチ位置にあるとき、前記貫通内孔に露出する傾斜ランプ面が設けられる、請求項１１に記載の急速継手。
【請求項１６】
前記傾斜ランプ面は、前記コネクタ本体の前記貫通内孔の前記長手軸に対して約３０°の角度をなして配置されている、請求項１５に記載の急速継手。
【請求項１７】
前記補助ラッチ／確認機構は、前記スロットの１つの内部を前記貫通内孔に接近およびそれから離れる方向に摺動可能なリテーナビームをさらに有し、該リテーナビームは、前記補助ラッチ／確認機構が前記ラッチ位置にあるとき、前記貫通内孔内に露出するような長さである、請求項１に記載の急速継手。
【請求項１８】
前記リテーナビームには、オス部材が前記コネクタ本体内に不完全に挿入されているとき、前記オス部材と接触して、前記補助ラッチ／確認機構が前記ラッチ解除位置から前記ラッチ位置に配置されることを防止する、チューブに面する半径方向内側表面が設けられる、請求項１７に記載の急速継手。
【請求項１９】
前記リテーナビームには、オス部材と軸方向に当接する表面であって、オス部材が前記コネクタ本体内に完全に挿入されたとき、前記オス部材に軸方向に当接する関係に移動可能である表面が設けられる、請求項１７に記載の急速継手。
【請求項２０】
前記リテーナビームには、オス部材と軸方向に当接する表面であって、オス部材が前記コネクタ本体内に完全に挿入されたとき、前記オス部材に軸方向に当接する関係に移動可能である表面が設けられる、請求項１８に記載の急速継手。
【請求項２１】
前記リテーナビームには、前記コネクタ本体の前記オス部材受け取り端部の方に面して、前記補助ラッチ／確認機構が前記ラッチ位置にあるとき、前記貫通内孔内に露出する傾斜ランプ面が設けられる、請求項１７に記載の急速継手。
【請求項２２】
前記傾斜ランプ面は、前記コネクタ本体の前記貫通内孔の前記長手軸に対して約３０°の角度をなして配置されている、請求項２１に記載の急速継手。
【請求項２３】
前記コネクタ本体によって画定される前記スロットの１つは、断面が「Ｔ」字形であり、前記補助ラッチ／確認機構の前記リテーナビームは、断面が「Ｔ」字形であり、前記リテーナビームは、そのようなスロット内に摺動可能に支持される、請求項１７に記載の急速継手。
【請求項２４】
前記リテーナビームは、連結部材から延出し、前記補助ラッチ／確認機構は、前記連結部材から前記リテーナビームと同一方向に延出する１対の弾性フィンガを有する、請求項２３に記載の急速継手。
【請求項２５】
前記リテーナビームには、前記コネクタ本体の前記オス部材受け取り端部の方に面する傾斜ランプ面が設けられる、請求項２４に記載の急速継手。
【請求項２６】
前記傾斜ランプ面は、前記コネクタ本体の前記貫通内孔の前記長手軸に対して約３０°の角度をなして配置されている、請求項２５に記載の急速継手。
【請求項２７】
前記補助ラッチ／確認機構は、リムをさらに有し、該リムは、前記補助ラッチ／確認機構を前記コネクタ本体に対して軸方向に位置決めする、請求項１に記載の急速継手。
【請求項２８】
前記補助ラッチ／確認機構は、チューブ確認機構を有し、該チューブ確認機構は、前記補助ラッチ／確認機構が前記ラッチ位置にあるとき、前記コネクタ本体の外側で前記オス部材と接近位置で向き合う関係に位置決めされるようにした湾曲面を有する、請求項２７に記載の継手。
【請求項２９】
流体管路内で切り離し可能な接続を行うための急速継手であって、
コネクタ本体であって、該コネクタ本体のオス受け取り端部から延在する貫通内孔を画定するコネクタ本体を備え、
該本体は、前記貫通内孔に開いたスロットを有するリテーナハウジング部分を画定し、また、
前記コネクタ本体内に管状オス部材を取り外し可能に固定する主リテーナ部材であって、前記コネクタ本体に取り外し可能に結合され、また、前記本体内のスロット内に互いに間隔をおいて配置された脚部を有し、該脚部は、ロック位置と、前記脚部間の空間が増加するロック解除位置との間を移動可能である、主リテーナ部材と、
前記コネクタ本体に取り外し可能に結合された個別の補助ラッチ／確認機構部材であって、前記コネクタ本体に対してラッチ解除位置からラッチ位置に移動可能であり、前記本体のスロット内に配置されたリテーナビームを有し、該ビームは、該補助ラッチ／確認機構が前記ラッチ位置にあるとき、前記貫通内孔内に露出するような長さを有する、個別の補助ラッチ／確認機構部材と、
を備える急速継手。
【請求項３０】
前記リテーナビームには、オス部材が前記コネクタ本体内に不完全に挿入されているとき、前記オス部材と半径方向に接触して、前記補助ラッチ／確認機構が前記ラッチ解除位置から前記ラッチ位置に配置されることを防止する、半径方向内側に面する表面が設けられる、請求項２９に記載の急速継手。
【請求項３１】
前記リテーナビームには、軸方向に当接する表面であって、オス部材が前記コネクタ本体内に完全に挿入されたとき、前記オス部材に軸方向に当接する関係に移動可能である表面が設けられる、請求項３０に記載の急速継手。
【請求項３２】
前記主リテーナの前記脚部は、前記管状部材が前記貫通内孔内に完全に挿入されたとき、前記アップセットに軸方向に当接する表面を有する、請求項３１に記載の急速継手。
【請求項３３】
前記リテーナビームには、前記コネクタ本体の前記オス部材受け取り端部の方に面して、前記補助ラッチ／確認機構が前記ラッチ位置にあるとき、前記貫通内孔内に露出する傾斜ランプ面が設けられる、請求項２９に記載の急速継手。
【請求項３４】
前記傾斜ランプ面は、前記コネクタ本体の前記貫通内孔の前記長手軸に対して約３０°の角度をなして配置されている、請求項３３に記載の急速継手。
【請求項３５】
前記コネクタ本体によって画定される前記スロットの１つは、断面が「Ｔ」字形であり、前記補助ラッチ／確認機構の前記リテーナビームは、断面が「Ｔ」字形であり、前記リテーナビームは、そのようなスロット内に摺動可能に支持される、請求項２９に記載の急速継手。
【請求項３６】
前記リテーナビームは、連結部材から延出し、また、前記連結部材から前記リテーナビームと同一方向に延出する１対の弾性フィンガを有する、請求項２９に記載の急速継手。
【請求項３７】
前記コネクタ本体の前記オス受け取り端部内へ、また前記貫通内孔内へ延出するオス部材をさらに備え、該オス部材は、管状表面、および該管状表面より大径の環状アップセットを有し、前記主リテーナの前記脚部は、前記ロック位置にあるとき、前記管状部材を前記コネクタ本体内に取り外し可能に保持する、請求項１に記載の急速継手。
【請求項３８】
前記コネクタ本体の前記オス受け取り端部内へ、また前記貫通内孔内へ延出するオス部材をさらに備え、該オス部材は、管状表面、および該管状表面より大径の環状アップセットを有し、前記主リテーナの前記脚部は、前記ロック位置にあるとき、前記管状部材を前記コネクタ本体内に取り外し可能に保持する、請求項６に記載の急速継手。
【請求項３９】
前記コネクタ本体の前記オス受け取り端部内へ、また前記貫通内孔内へ延出するオス部材をさらに備え、該オス部材は、管状表面、および該管状表面より大径の環状アップセットを有し、前記主リテーナの前記脚部は、前記ロック位置にあるとき、前記管状部材を前記コネクタ本体内に取り外し可能に保持する、請求項１１に記載の急速継手。
【請求項４０】
前記コネクタ本体の前記オス受け取り端部内へ、また前記貫通内孔内へ延出するオス部材をさらに備え、該オス部材は、管状表面、および該管状表面より大径の環状アップセットを有し、前記主リテーナの前記脚部は、前記ロック位置にあるとき、前記管状部材を前記コネクタ本体内に取り外し可能に保持する、請求項１７に記載の急速継手。
【請求項４１】
前記コネクタ本体の前記オス受け取り端部内へ、また前記貫通内孔内へ延出するオス部材をさらに備え、該オス部材は、管状表面、および該管状表面より大径の環状アップセットを有し、前記主リテーナの前記脚部は、前記ロック位置にあるとき、前記管状部材を前記コネクタ本体内に取り外し可能に保持する、請求項２５に記載の急速継手。
【請求項４２】
前記コネクタ本体の前記オス受け取り端部内へ、また前記貫通内孔内へ延出するオス部材をさらに備え、該オス部材は、管状表面、および該管状表面より大径の環状アップセットを有し、前記主リテーナの前記脚部は、前記ロック位置にあるとき、前記管状部材を前記コネクタ本体内に取り外し可能に保持する、請求項２９に記載の急速継手。
【請求項４３】
前記コネクタ本体の前記オス受け取り端部内へ、また前記貫通内孔内へ延出するオス部材をさらに備え、該オス部材は、管状表面、および該管状表面より大径の環状アップセットを有し、前記主リテーナの前記脚部は、前記ロック位置にあるとき、前記管状部材を前記コネクタ本体内に取り外し可能に保持する、請求項３３に記載の急速継手。
【請求項４４】
前記管状オス部材は、前記第１アップセットから間隔をおいた位置に第２アップセットを有し、前記オス部材が前記貫通内孔内に完全に挿入されたとき、該第２アップセットは前記コネクタ本体の前記オス部材受け取り端部の外に露出し、また、前記補助ラッチ確認機構は、内側湾曲面を有する横断方向フランジを有し、該表面は、前記環状オス部材が前記貫通内孔内に完全に挿入されて、前記補助ラッチ／確認機構が前記ラッチ位置にある場合だけ、前記管状オス部材と接近位置で向き合う関係に配置可能であり、前記横断方向フランジは、前記補助ラッチ／確認機構が前記ラッチ位置にあるとき、前記第２アップセットに軸方向に当接する表面を有する、請求項３７に記載の急速継手。
【請求項４５】
前記主リテーナの前記脚部は、前記管状部材が前記貫通内孔内に完全に挿入されたとき、前記アップセットに軸方向に当接する表面を有する、請求項３７に記載の急速継手。
【請求項４６】
前記主リテーナの前記脚部は、前記管状部材が前記貫通内孔内に完全に挿入されたとき、前記アップセットに軸方向に当接する表面を有する、請求項３８に記載の急速継手。
【請求項４７】
前記主リテーナの前記脚部は、前記管状部材が前記貫通内孔内に完全に挿入されたとき、前記アップセットに軸方向に当接する表面を有する、請求項４２に記載の急速継手。
【発明の詳細な説明】
【技術分野】
【０００１】
［発明の背景］
本発明は、急速継手を備える流体管路系、特に補助ラッチ／確認機構を有する急速継手に関する。
【０００２】
自動車および他の分野において、２つの部品または導管間を流体接続し、それによってそれらの２部品間に流体管路を確立するために、メスコネクタ本体内に受け取られて密封状に保持されるオス部材を一般的に備える急速継手が使用されることが多い。急速継手の使用は、密封された固定的な流体管路を最小限の時間および費用で確立することができる点で、好都合である。
【０００３】
急速継手のオス部材およびメスコネクタ本体を合わせて固定するために、多くの方法および機構が存在する。１つの形式の保持機構は、コネクタ本体内に配置されたリテーナを使用する必要がある。リテーナには、コネクタ本体内に形成された半径方向面とオス部材上に形成された拡大アップセットとの間に延在し、それにより、オス部材をコネクタ本体内に固定する荷重担持部材が設けられる。この形式のリテーナの１つの欠点は、継手を切り離すことが通常は困難であることである。接合部を分離するために、多くの場合に特別な解除工具またはスリーブが必要である。
【０００４】
別の形式の保持機構は、コネクタ本体の外側に形成されたスロットに挿入された保持クリップの形のリテーナを使用する必要がある。スロットに挿通されたビームが、オス部材のアップセットとスロットを画定する後面との間に保たれ、それにより、継手の分離が防止される。そのようなリテーナの物理的外観のために、それらは業界では「馬てい形」リテーナと呼ばれる。この形式のリテーナの一例が、Kalahasthy他の米国特許第５，５８６，７９２号に見られ、この特許は参照によって本明細書に援用される。’７９２号特許に開示されている「馬てい形」リテーナは、継手の複雑さを大して増大させることなく、継手の分離を容易にすることができる。本発明の急速継手は、継手の意図しない分離を防止し、継手が適切に接続されていることの確認を行い、主馬てい形リテーナが故障しても、継手の分離を防止する補助ラッチ／確認機構を使用することによる、’７９２号特許に開示されている形式のリテーナの改良品である。
【発明の開示】
【課題を解決するための手段】
【０００５】
本発明の一態様によると、流体管路内で切り離し可能な接続を行うための急速継手であって、
コネクタ本体であって、コネクタ本体のオス受け取り端部から延在する貫通内孔を画定するコネクタ本体を備え、
該本体は、貫通内孔に開いたスロットを有するリテーナハウジング部分を画定し、また、
コネクタ本体内に管状オス部材を取り外し可能に固定する主リテーナ部材であって、コネクタ本体に取り外し可能に結合され、また、本体内のスロット内に互いに間隔をおいて配置された脚部を有し、脚部は、ロック位置と、脚部間の空間が増加するロック解除位置との間を移動可能である、主リテーナ部材と、
コネクタ本体に取り外し可能に結合された個別の補助ラッチ／確認機構部材であって、本体のスロット内に配置されて、コネクタ本体に対して主リテーナに接近およびそれから離れる方向に移動してラッチ解除位置およびラッチ位置間を移動可能である個別の補助ラッチ／確認機構部材と、
を備える急速継手が提供される。
【０００６】
本発明の別の態様によると、流体管路内で切り離し可能な接続を行うための急速継手であって、
コネクタ本体であって、コネクタ本体のオス受け取り端部から延在する貫通内孔を画定するコネクタ本体を備え、
該本体は、貫通内孔に開いたスロットを有するリテーナハウジング部分を画定し、また、
コネクタ本体内に管状オス部材を取り外し可能に固定する主リテーナ部材であって、コネクタ本体に取り外し可能に結合され、また、本体内のスロット内に互いに間隔をおいて配置された脚部を有し、脚部は、ロック位置と、脚部間の空間が増加するロック解除位置との間を移動可能である、主リテーナ部材と、
コネクタ本体に取り外し可能に結合された個別の補助ラッチ／確認機構部材であって、コネクタ本体に対してラッチ解除位置からラッチ位置に移動可能であり、本体のスロット内に配置されたリテーナビームを有し、該ビームは、補助ラッチ／確認機構がラッチ位置にあるとき、貫通内孔内に露出するような長さを有する、個別の補助ラッチ／確認機構部材と、
を備える急速継手が提供される。
【０００７】
［図示の実施形態の詳細な説明］
流体管路系に関連して本発明の急速継手を説明する。それは、剛性チューブと他の流体搬送部品、特にフレキシブルホースとの間の取り外し可能な接続部として示されている。しかし、継手には、加圧状態であろうと非加圧状態であろうと、流体経路の剛直部品の接続など、液密でありながら取り外し可能な接続が望まれる他の多くの用途がある。一例として、車両用の給油パイプ構造がある。別例には、鉛工排水管路構造がある。
【０００８】
図１は、流体管路内に形成された急速継手１０を示す。継手１０は、主リテーナ部材１６および別体の補助ラッチ／確認機構部材１８によって合わせて固定されたほぼ円筒形のメスコネクタ本体１２およびオス部材１４で構成されている。オス部材１４は、流体管路系の一部を形成する中空チューブの一端部に形成される。使用の際に、メスコネクタ本体１２は、やはり流体管路系の一部である（図１４に示されているような）チューブまたはホース１３に接続される。メスコネクタ本体１２およびオス部材１４は、流体管路内に永久的であるが切り離し可能な接合部を形成するように接続可能である。
【０００９】
コネクタ本体１２は、図２〜図６に詳細に示されている。コネクタ本体１２は、ほぼ円筒形の段差付き外壁２０およびほぼ円筒形の段差付き内壁２２によって画定される。コネクタ本体１２は、軸２４に中心が位置して、好ましくはポリアミドなどのプラスチック材料製である。内壁２２は、貫通内孔２６を画定する。内孔２６は、大径のオス部材受け取り端部２８から小径のホース接続端部３０まで、コネクタ本体１２内を完全に貫通している。
【００１０】
コネクタ本体１２の内壁２２の直径の変化により、内孔２６が４つの個別部分に分割される。オス部材受け取り端部２８からホース接続端部３０まで軸方向内向きに進むと、それらはリテーナハウジング部分３２、シール室３４、チューブ端部受け取り部３６および流体通路３８である。
【００１１】
リテーナハウジング部分３２は、オス部材受け取り端部２８に隣接している。それは、上部支持部材４４、２つの側部支持部材４６、４８、２つの中央支持部材５０、５２および２つの底部支持部材５４、５６によって内側リム４２に連結されたＣ字形外側リム４０によって画定される。外側リムスロット４１が、Ｃ字形外側リム４０の底部に画定される。ノッチ４３が内側リム４２の底部に画定される。上部支持部材４４および２つの側部支持部材４６、４８間の空間が、２つの上部スロット５８、６０を画定している。２つの側部支持部材４６、４８および底部支持部材５４、５６間の空間が、２つの側部スロット６２、６４を画定している。２つの底部支持部材５４、５６間の空間が、底部スロット６６を画定している。上部スロット５８、６０は、コネクタ本体１２の中心軸２４を横切る方向に主リテーナ１６を受け取って、その位置決めを行う。側部スロット６２、６４および底部スロット６６は、コネクタ本体の中心軸２４を横切る方向に補助ラッチ／確認機構１８を受け取って、その位置決めを行う。上部支持部材４４は、湾曲した上面４５を画定している。中央支持部材５０、５２の各々がロック肩部６８、７０を画定している。ロックリッジ７２、７４が、各底部支持部材５４、５６の外縁部から側方に延出している。
【００１２】
シール室３４は、リテーナハウジング部分３２の軸方向内側に形成されている。それは、内壁２２の、リテーナハウジング部分３２より小径の部分によって画定されて、円錐形肩部７８から半径方向肩部８０まで軸方向内向きに延在している。シール室３４は、シール部材を収容し、それにより、コネクタ本体１２およびオス部材１４間を液密にするために設けられている。
【００１３】
チューブ端部受け取り部３６は、シール室３４の軸方向内側に形成されている。それは、内壁２２の、シール室３４より小径の部分によって画定されて、半径方向肩部８０の小径端部から円錐形肩部８２まで軸方向内向きに延在している。チューブ端部受け取り部３６は、オス部材１４の開放端部を受け取るために設けられている。
【００１４】
流体通路３８は、内壁２２の最小直径の部分によって画定されている。それは、円錐形肩部８２の小径端部からホース接続端部３０まで続いている。外壁２０の、流体通路３８を取り囲む部分は、流体管路内の別の部品に接続しやすいように構成されている。たとえば、図示のコネクタ本体１２は、フレキシブルホースとの接続用の特殊な形状になっている。フレキシブルホース内へ挿入しやすくするために、端部３０に隣接して円錐形ノーズ８４が形成されており、ホースをコネクタ本体上に保持するために、ランプ形バーブ８６がノーズ８４の外側に形成されている。所望ならば、外側Ｏリングシールを収容するために、溝８８が画定される。
【００１５】
他の管路系構造に接続するために、別の外部形状をコネクタ本体１２の流体通路端部付近に用いることができるであろう。たとえば、外壁２０にねじを付けて、管路系部品を収容するハウジングのねじ付き内孔内に接続しやすくすることもできるであろう。
【００１６】
図１に示されているように、オス部材１４は、剛性チューブの端部に形成されている。それは、開放したチューブ端部９２から所定距離をおいて形成された半径方向拡大アップセット９０を有する。チューブ端部９２は、丸みを付けるか、またはテーパ状にして、コネクタ本体１２内へのオス部材１４の挿入し難さを軽減することができる。アップセット９０およびチューブ端部９２間に平滑な円筒形シール表面９４が延在している。シール表面９４の外径は、オス部材１４の端部がチューブ端部受け取り部３６内に滑りばめされるようなものでなければならない。
【００１７】
主「馬てい」形リテーナ１６が、図７〜図９に詳細に示されている。それは好ましくは、プラスチックなどの弾性的な可撓性材料で形成される。主リテーナ１６は、リテーナハウジング部分３２の上部スロット５８、６０を通って延出して、コネクタ本体１２に離脱可能に結合される。
【００１８】
主リテーナ１６には、横部材９８から延出して、一端部でそれに接合されている１対の細長い略平行脚部９６が設けられている。横部材９８は、オス部材１４の非アップセット外径にほぼ等しい離隔距離を脚部９６間に設ける。脚部９６は、上部スロット５８、６０の軸方向幅にほぼ等しいが、（隙間を与えるために）わずかに小さい軸方向幅を有する。脚部９６の横幅は、上部スロット５８、６０の横幅より相当に狭く、それにより、（オス部材を挿抜するために）脚部９６を外向きに拡開できるようにしている。
【００１９】
横部材９８は、脚部９６より相当に広い軸方向幅を有する。図８に示されているように、横部材９８は、脚部９６の前面１０２と軸方向に整合しているが、脚部９６の後面１０４を軸方向に越えて延出している。
【００２０】
各脚部９６は、横部材９８から遠い端部に形成されたラッチ１０６と、横部材９８に隣接した端部の位置で後面１０４に形成された解除突出部１０８と、ラッチ１０６および横部材９８間で前面１０２に形成された傾斜食い付き（lead）領域１１０とを備える。主リテーナ１６をコネクタ本体１２内へ完全に挿入すると、ラッチ１０６が主リテーナ１６をコネクタ本体１２に対して所定位置にロックする。ラッチ１０６によって画定されたラッチ縁部１１２が、コネクタ本体１２の中央支持部材５０、５２によって画定されたロック肩部６８、７０に係合し、それにより、主リテーナ１６を所定位置にロックする。
【００２１】
解除突出部１０８は、横部材９８のすぐ下側で各脚部９６の後面１０４から突出している。解除突出部１０８は、横部材９８が脚部９６から軸方向に延出する距離にほぼ等しい距離だけ、脚部９６から軸方向に延出している。各突出部１０８にランプまたはカム面１１４が形成されている。組み付けられたとき、ランプ面１１４はコネクタ本体１２の上部支持部材４４の湾曲上面４５のすぐ上方に載る。横部材９８に圧力を加えて、主リテーナ１６をコネクタ本体１２内へさらに押し込むと、ランプ面１１４が上部支持部材４４と接触して摺動する、すなわち、カム移動する。したがって、脚部９６が拡開して、オス部材１４を解放することができる。
【００２２】
食い付き領域１１０は、各脚部の前面１０２から半径方向および軸方向内向きに傾斜して、前面１０２および後面１０４のほぼ中間で終了する。食い付き領域１１０間の空間は、前面１０２付近で最大になる。この場合、その空間は、オス部材１４に形成されたアップセット９０の直径にほぼ等しい。食い付き領域１１０の後縁部１１６において、食い付き領域１１０間の空間は、オス部材１４の（非アップセット）外径にほぼ等しい。食い付き領域１１０の、ラッチ１０６により近い部分は１１８の位置で内向きに湾曲し、それにより、オス部材アップセット９０の環状輪郭に一致している。これは、コネクタ本体１２内を通るオス部材１４の案内およびセンタリングを助ける。
【００２３】
補助ラッチ／確認機構１８が、図１０〜１３に詳細に示されている。それは好ましくは、プラスチックなどの弾性的な可撓性材料で形成される。補助ラッチ／確認機構１８は、リテーナビーム１１９と、連結部材１２４によって結合された１対の細長い略平行フィンガ１２２とを有する。連結部材１２４は、矩形のノッチ１２５を画定する。ノッチ１２５は、ねじ回しの端部などの、矩形断面を有する刃（a knifed edge）をそれに挿入して、補助ラッチ／確認機構１８を（図１７に示されているような）ラッチ位置から（図１６に示されているような）ラッチ解除位置にこじるために必要なてこの作用を与えることができる形状になっている。リテーナビーム１１９の前部から軸方向にチューブ確認機構１２６が延出している。連結部材の後部から軸方向に保持リム１２８が延出している。
【００２４】
リテーナビーム１１９は、横方向拡大部分１２０および細幅部分１２１を有する。拡大部分１２０の横幅は、底部スロット６６の横幅よりわずかに狭い。細幅部分１２１の横幅は、外側リムスロット４１の横幅よりわずかに狭い。拡大部分１２０は、オス部材１４のアップセット９０に当接する当接表面１２３を画定する。リテーナビーム１１９の半径方向内側表面は、オス部材１４を形成するチューブの外面の曲率に一致するように湾曲している。
【００２５】
各フィンガ１２２は、連結部材１２４から遠い端部に形成されたフック１３０を有する。補助ラッチ／確認機構がラッチ解除位置にあるとき、フック１３０によって画定されたノッチ１３２が、底部支持部材５４、５６によって画定されたロックリッジ７２、７４に係合し、それにより、補助ラッチ／確認機構１８をコネクタ本体１２に固定する。フック１３０および連結部材１２４間に位置する各フィンガ１２２の内面は、ランプ面１３４および横方向拡大表面１３６を画定する。２つのフィンガのランプ面１３４間の距離は、ロックリッジ７２、７４間の距離より短い。２つのフィンガの横方向拡大表面１３６間の距離は、ロックリッジ７２、７４間の距離にほぼ等しい。さらに、フィンガ１２２の内面間の最も狭い距離は、主リテーナ１６の脚部９６の外面間の距離よりわずかに長い。フィンガ１２２の軸方向幅は、脚部９６の軸方向幅にほぼ等しい。
【００２６】
チューブ確認機構１２６は、ほぼ月形である。チューブ確認機構１２６の半径方向内側表面は、第１湾曲面１３８および第２湾曲面１４０を有する。第１湾曲面１３８は、オス部材１４を形成するチューブの外面の曲率に一致するように湾曲している。第２湾曲面１４０は、アップセット９０の外面の曲率に一致するように湾曲している。
【００２７】
保持リム１２８は、連結部材１２４の後部から軸方向に延出している。リブ１４２が、保持リム２８の前面を連結部材１２４の後面に接続している。リブ１４２の横幅は、内側リム４２のノッチ４３の横幅よりわずかに狭い。リブ１４２の軸方向長さは、内側リム４２の軸方向厚さよりわずかに長い。保持リム１２８の半径方向内側縁部に縁部１４４が画定されている。縁部１４４の曲率は、外壁２０の、シール室３４を取り囲む部分の曲率に一致している。縁部１４４の曲率は、上向きの圧力が補助ラッチ／確認機構をラッチ解除位置に解放して、オス部材の作動を可能にすることができるような湾曲である。  
【００２８】
図１４に示されているように、シール室３４内に２つのＯリングシール１４６、１４８が配置されて、剛性スペーサリング１５０によって分離されている。Ｏリング１４６、１４８は、シール室３４の内側およびオス部材１４のシール表面９４の周囲に締まりばめされる寸法である。Ｏリング１４６、１４８は、中空のスペーサスリーブ１５２によってシール室３４内に固定されている。スペーサスリーブ１５２には、内壁２２の円錐形肩部７８に当接し、それにより、スリーブ１５２を内孔２６内に位置決めする円錐形拡大端部１５４が設けられている。スペーサスリーブ１５２を内孔２６内に確実に固定するために、スリーブ１５６の外周に隆起環状部分１５６が形成されており、内壁２２に対応の環状リセス１５８が形成されている（図５を参照）。隆起部分１５６は、内壁２２に形成されたリセス１５８内にはめ合い状に受け取られ、それによってスリーブ１５２を所定位置にロックするであろう。
【００２９】
オス部材１４をコネクタ本体１２に挿入する前に、最初に主リテーナ１６をコネクタ本体１２に取り付ける。主リテーナ１６の脚部９６をリテーナハウジング部分３２の上部スロット５８、６０から挿入する。主リテーナ１６は、横部材９８および解除突出部１０８が上部支持部材４４の上方に位置するような向きにされ、脚部９６の食い付き領域１１０がオス部材受け取り端部２８と向き合う。
【００３０】
横部材９８に下向き力を加えることにより、上部スロット５８、６０内への脚部９６の挿入が容易になる。本特許出願で規定される「下向き力」とは、コネクタ本体１２の方に向けて加えられる力である。脚部９６が中央支持部材５０、５２の側部と接触したとき、下向き力を増加させる必要がある。十分な下向き力を加えると、脚部９６の丸み付き端部が中央支持部材５０、５２の側部に接しながら摺動し、脚部９６を拡開させて、脚部９６が中央支持部材５０、５２を通過できるようにする。脚部が中央支持部材５０、５２を通り過ぎると、脚部９６は内向きに跳ねて、ラッチ縁部１１２が底部支持部材７８のロック肩部６８、７０の下側に配置され、それにより、主リテーナ１６がコネクタ本体１２に固定される。適切に取り付けられた主リテーナ１６が、図１５〜図１７に示されている。取り付け位置では、側部から見たとき、主リテーナ１６の脚部９６は、内孔２６の軸２４に対してほぼ垂直である（図１および図１５を参照）。前方または後方から見たとき、脚部９６は内孔２６の軸２４からほぼ等間隔に位置する（図１６および図１７を参照）。
【００３１】
主リテーナ１６をコネクタ本体１２に適切に取り付けてから、次にオス部材１４をコネクタ本体１２に挿入する。脚部９６間の空間がオス部材１４の非アップセット外径にほぼ等しいので、オス部材１４のシール表面９４は、抵抗をほとんど、またはまったく受けないで、脚部９６間を通ってシール室３４に入る。オス部材１４のアップセット９０が脚部９６と接触するとき、挿入に対する抵抗が発生する。十分な軸方向内向きの力を加えると、脚部９６の食い付き領域１１０によってアップセット９０が脚部間を通過することができる。アップセット９０が脚部９６間を通過するとき、それは食い付き領域１１０に沿って載って、脚部９６を半径方向外向きにたわませる。アップセット９０が脚部９６を通過すると、脚部９６はアップセット９０の背後でロック位置に跳ね返る。脚部９６の後面１０４がアップセットに当接し、それにより、後に誤ってオス部材１４がコネクタ本体１２から抜けることを防止する。スペーサスリーブ１５２は、コネクタ本体１２の内壁２２上に画定された円錐形肩部７８と協働して、オス部材１３０がロック位置からさらに内向きに挿入されることを防止する。
【００３２】
横部材９８に下向き力を加えることによって、オス部材１４をロック位置から解放することができる。横部材９８に下向き力を加えることにより、解除突出部１０８がコネクタ本体１２の上部支持部材４４の湾曲上面４５と接触する。下向き力を加え続けると、解除突出部１０８のランプ面１１４が上部支持部材４４に接しながら摺動またはカム移動して、脚部９６を横方向に拡開させる。最終的に、脚部９６は、アップセット９０が脚部９６間を通過するのに十分な距離だけ拡開するであろう。次に、オス部材１４をコネクタ本体１２から引き抜くことができる。部材１４をコネクタ本体１２から引き抜いて主リテーナ１６が弛緩すると、主リテーナ１６はその通常設置位置に戻る。
【００３３】
補助ラッチ／確認機構１８を、（図１５および図１６に示されているように）ロックリッジ７２、７４がノッチ１３２内に位置するラッチ解除位置から、（図１７に示されているような）ラッチ位置に配置することにより、結合が完了する。補助ラッチ／確認機構１８をラッチ位置に配置するために、連結部材１２４に下向き力を加える。十分な下向き力により、フィンガ１２２のランプ面１３４がロックリッジ７２、７４の側部を摺動してフィンガ１２２を拡開させ、フィンガが底部支持部材５４、５６を通過できるようにする。図１６および図１７に示されているように、オス部材１４をコネクタ本体１２内に適切に挿入すると、補助ラッチ／確認機構は、補助ラッチ／確認機構１８のフィンガ１２２の一部分が主リテーナ１６の脚部９６の横方向外側に位置する位置へ移動することができる。同時に、リテーナビーム１１９およびチューブ確認機構１２６は、オス部材１４の方に向かって半径方向内向きに移動し、保持リム１２８は、シール室３４を取り囲んでいる外壁２０の方に向かって半径方向内向きに移動する。
【００３４】
補助ラッチ／確認機構１８をコネクタ本体１２内へ完全に挿入すると、ロックリッジ７２、７４はフィンガ１２２のランプ面１３４を越えて、横方向拡大表面１３６間に位置する。補助ラッチ／確認機構１８のフィンガ１２２は、図１７に示されているように、ラッチ位置へ横方向内向きに跳ねる。側部から見たとき、補助ラッチ／確認機構１８のフィンガ１２２は、内孔２６の軸２４に対してほぼ垂直である（図１および図１５を参照）。前方または後方から見たとき、フィンガ１２２は内孔２６の軸２４からほぼ等間隔に位置する（図１６および図１７を参照）。ラッチ位置では、補助ラッチ／確認機構１８の各フィンガ１２２の一部分が、主リテーナ１６の対応脚部９６の横方向外側に位置する。脚部９６に対するフィンガ１２２の位置により、脚部９６が誤って横方向外側に移動してオス部材１４をロック位置から解放することが防止される。ラッチ位置では、リテーナビーム１１９の後面が、オス部材１４のアップセット９０に軸方向に当接した関係にある。リテーナビーム１１９およびアップセット９０間のこの軸方向当接関係により、主リテーナ１６が故障した場合でも、オス部材１４をコネクタ部材１２内に保持するという補助ラッチ機能が補助ラッチ／確認機構１８に与えられる。
【００３５】
保持リム１２８およびチューブ確認機構１２６は、補助ラッチ／確認機構１８をコネクタ本体１２に対して位置決めするのに役立つ。ラッチ位置では、リブ１４２が、内側リム４２の底部に画定されたノッチ４３を通って延出する。保持リム１２８は、コネクタ本体１２の内側リム４２の軸方向のすぐ後側、かつシール室３４を取り囲む外壁２０の半径方向のすぐ外側に位置する。連結部材１２４は、内側リム４２の軸方向のすぐ前方に位置する。補助ラッチ／確認機構１８の保持リム１２８および連結部材１２４が内側リム４２を挟み、それにより、補助ラッチ／確認機構１８をコネクタ本体１２に対して軸方向に位置決めする。リテーナビーム１１９の細幅部分１２１が、外側リムスロット４１に通される。チューブ確認機構１２６は、コネクタ本体１２の外側リム４０のすぐ前方、かつオス部材１４を形成するチューブの半径方向のすぐ外側に位置する。保持リム１２８がコネクタ本体１２の半径方向のすぐ外側に位置し、チューブ確認機構１２６がチューブの半径方向のすぐ外側に位置するので、保持リム１２８およびチューブ確認機構１２６は、補助ラッチ／確認機構１８がラッチ位置に入った後に傾斜することを防止する。
【００３６】
図１８は、オス部材１４がコネクタ本体１２内に適切に挿入されなかったときの状況を示す。そのような状況では、オス部材１４は、アップセット９０が主リテーナ１６の脚部９６を通り過ぎるほど十分にはコネクタ本体１２内に挿入されていない。脚部９６がまだ拡開した状態にあり、フィンガ１２２の端部が主リテーナ１６のまだ拡開状態にある脚部９６に当接するので、補助ラッチ／確認機構１８のフィンガ１２２を半径方向内向きにコネクタ本体１２内へ挿入することができない。さらに、オス部材１４がコネクタ本体１２内へ不十分に挿入された状態では、アップセット９０は補助ラッチ／確認機構１８のリテーナビーム１１９の半径方向のすぐ内側に位置する。リテーナビーム１１９の半径方向内側面がアップセット９０の半径方向外面に当接することにより、補助ラッチ／確認機構をコネクタ本体１２内へ半径方向内向きに挿入することもできなくなる。このように補助ラッチ／確認機構１８がラッチ位置へ半径方向内向きに移動することができないことにより、オス部材１４がコネクタ本体１２内へ十分には挿入されていないことをユーザに確認させる。他方、オス部材１４がコネクタ本体１２内へ十分に挿入されており、それにより、アップセット９０が主リテーナ１６の脚部９６を通り越えた場合、補助ラッチ／確認機構のフィンガ１２２の端部が主リテーナ１６の脚部９６に当接しないと共に、リテーナ確認機構１１９の半径方向内側表面がアップセット９０の半径方向外面に当接しないで、補助ラッチ／確認機構１８がラッチ位置へ移動できるようにする。このように補助ラッチ／確認機構１８がラッチ位置へ半径方向内向きに移動できることにより、オス部材１４がコネクタ本体１２内へ十分に挿入されていることをユーザに確認させる。
【００３７】
図１９〜図３０は、図１〜図１８の継手には存在しない特徴を含めた本発明の特徴を備える急速継手を開示している。構成部品も後述するようにわずかに修正されているが、実質的には第１の例示的な実施形態の利点を与える。
【００３８】
本実施形態の追加の特徴は、急速継手を完全に組み付けた最終ラッチ状態で輸送して流体管路内に設置することができることである。保持およびラッチ構成部品のすべては、それらがオス部材をコネクタ本体内に固定しようとするとき、コネクタ本体内の所定位置にある。この特徴は、補助ラッチ確認機構がコネクタ本体に接続されて最終ラッチ位置に配置された状態で、剛性チューブをコネクタ本体に結合することができるという点で重要である。
【００３９】
次に図１９〜図３０に目を向けると、図１９は、流体管路内で切り離し可能な接続を行う急速継手を示す。継手は、主リテーナ部材１１６および別体の補助ラッチ／確認機構部材１１８によって合わせて取り外し可能に固定されたほぼ円筒形のメスコネクタ本体１１２およびオス部材１１４で構成されている。オス部材１１４は、流体管路系の一部を形成する中空チューブの端部に形成される。使用の際に、メスコネクタ本体１１２は、やはり流体管路系の一部である（図１４に示されているような）チューブまたはホース１３に接続される。メスコネクタ本体１１２およびオス部材１１４は、流体管路内で永久的であるが切り離し可能な接合を行うように接続可能である。
【００４０】
コネクタ本体１１２は、図２２〜図２４に詳細に示されている。コネクタ本体１１２は、ほぼ円筒形の段差付き外壁１２０およびほぼ円筒形の段差付き内壁１２２によって画定されている。図示のコネクタ本体１１２は、好ましくはポリアミドなどのプラスチック材料で成形される。本体外側は、本発明から逸脱することなく任意の所望形状をとることができることを理解されたい。たとえば、コネクタ本体には一般的な形状である、端部間に９０°のベンドを有することができるであろう。
【００４１】
内壁１２２は、長手軸１２４に中心が位置する貫通内孔１２６を画定する。本明細書で使用される「軸方向」という用語は、中心軸１２４に沿っていることを意味することが理解される。「横方向」、「横方向に」、「横断方向」および「横断方向に」という用語は、軸１２４に対してほぼ垂直な平面上での左右方向を意味する。横断方向移動は、ほぼ軸１２４に対して垂直な平面上で軸１２４に接近およびそれから離れる方向の移動を意味する。横方向移動は、軸１２４に対してほぼ垂直な平面上で軸１２４に接近およびそれから離れる左右方向移動を意味する。コネクタ本体１１２の内孔１２６は、大径のオス部材受け取り端部１２８から小径のホース接続端部１３０まで、コネクタ本体１１２内を完全に貫通している。
【００４２】
コネクタ本体１１２の内壁１２２の直径の変化により、貫通内孔１２６が４つの個別部分に分割される。オス部材受け取り端部１２８からホース接続端部１３０まで軸方向内向きに進むと、それらはリテーナハウジング部分１３２、シール室１３４、チューブ端部受け取り部１３６および流体通路１３８である。
【００４３】
リテーナハウジング部分１３２は、オス部材受け取り端部１２８に隣接している。それは、オス受け取り端部１２８に貫通内孔１２６への入口を画定する横断方向の平坦な前向き表面１２９を有する軸方向外側リム１４０によって画定される。図２４に示されているように、軸方向外側リム１４０は、上部支持部材１４４、２つの側部支持部材１４６、２つの中央支持部材１５０および２つの底部支持部材１５４によって軸方向内側リム１４２に連結されている。底支持部材１５４の位置で、リム１４０および１４２間に底壁１５７が延在している。軸方向外側リム１４０の位置で底壁１５７にノッチ１４１が画定されている。
【００４４】
上部支持部材１４４および２つの側部支持部材１４６間の空間が、１対の第１の、すなわち上部スロット１５８を画定している。２つの中央支持部材１５０および２つの底部支持部材１５４間の空間が、上部支持部材１４４と真向かいの第２の底部スロット１６６を画定している。これらのスロットは、貫通内孔１２６に開いている。２つの側部支持部材１４６および底部支持部材１５４間の空間が、１対の第２の側部スロット１６２を画定している。
【００４５】
上部スロット１５８は、コネクタ本体１１２の中心軸２４を横切る方向に主リテーナ１１６を受け取って、その位置決めを行う。底部スロット１６６は、コネクタ本体１１２の中心軸２４を横切る方向に補助ラッチ／確認機構１１８を受け取って、その位置決めを行う。容易に理解されるように、主リテーナ１１６および補助ラッチ／確認機構１１８の両方の構成要素は、側部スロット１６２内にある。
【００４６】
底部スロット１６６は、図２２〜図２４に見られるように、中央支持部材１５０の離間表面１６７と底部支持部材１５４の離間表面１６９との間に横方向に延在する拡大部分と、図２３に１つが示されている横方向表面１７５間に横断方向に延在する、図２２および図２３に最もわかりやすく見られる細幅部分とを有する。表面１７５は、ノッチ１４１と内部内孔１２６との間に延在して、中心線すなわち中心軸１２４からほぼ等間隔にあって互いに平行である。
【００４７】
底部スロットの断面は、略「Ｔ」字形である。底部スロット１６６の内壁面１７１が、底部スロット１６６の最も内側の表面を画定する。図２３に見られるように、前すなわち外壁面１７３が、底部スロット１６６の前方すなわち前壁を画定する。リテーナハウジング部分１３２は、リテーナハウジング部分１３２の壁面１７１の軸方向内側の位置で貫通穴１２４内にチューブアップセット受け取り室も画定する。
【００４８】
上部支持部材１４４は、湾曲上面１４５を画定している。中央支持部材１５０の各々がロック肩部１６８を画定している。ロックリッジ１７２が、各底部支持部材１５４の外縁部から横方向に延出している。
【００４９】
シール室１３４は、リテーナハウジング部分１３２の軸方向内側に形成されている。それは、内壁１２２の、リテーナハウジング部分１３２より小径の部分によって画定されて、円錐形肩部１７８から半径方向肩部１８０まで軸方向内向きに延在している。図１〜図１８の実施形態に関連して説明したように、シール室１３４は、シール部材を収容し、それにより、コネクタ本体１１２およびオス部材１１４間を液密にするために設けられている。
【００５０】
チューブ端部受け取り部１３６は、シール室１３４の軸方向内側に形成されている。それは、内壁１２２の、シール室３４より小径の部分によって画定されて、半径方向肩部１８０の小径端部から円錐形肩部１８２まで軸方向内向きに延在している。チューブ端部受け取り部１３６は、オス部材１１４を受け取って導く、すなわち案内することができる寸法である。
【００５１】
流体通路１３８は、内壁１２２の最小直径の部分によって画定されている。それは、円錐形肩部１８２の小径端部からホース接続端部１３０まで続いている。外壁１２０の、流体通路１３８を取り囲む部分は、流体管路内の別の部品に接続しやすいように構成されている。たとえば、図示のコネクタ本体１１２は、図１〜図１８の実施形態の場合のように、フレキシブルホースとの接続用の特殊な形状になっている。もちろん、上述したように、任意の他の適当な接続構造を使用することができる。
【００５２】
図１９に示されているように、オス部材１１４は、剛性チューブの端部に形成されている。それは、開放チューブ端部または先端１９２から所定距離をおいた位置に半径方向当接面１９１を形成する半径方向拡大アップセット１９０を有する。チューブ端部または先端１９２は、丸みを付けるか、またはテーパ状にして、コネクタ本体１１２内へのオス部材１１４の挿入し難さを軽減することができる。アップセット１９０およびチューブ端部１９２間に平滑な円筒形シール表面１９４が延在している。シール表面１９４の外径は、オス部材１１４の端部がチューブ端部受け取り部１３６内に滑りばめされるようなものでなければならない。チューブは、チューブ端部から離れる方向にアップセット１９０を越えて続き、ほぼ平滑な円筒形表面１９５を画定している。それは一般的に、円筒形シール表面１９４と同一直径である。
【００５３】
主「馬てい」形リテーナ１１６が、図２５〜図２７に詳細に示されている。それは好ましくは、プラスチックなどの弾性的な可撓性材料で成形される。主リテーナ１１６は、リテーナハウジング部分１３２の上部スロット１５８を通って延出して、コネクタ本体１１２に離脱可能に結合される。
【００５４】
主リテーナ１１６には、横部材１９８から延出して、一端部でそれに接合されている１対の細長い略平行脚部１９６が設けられている。横部材１９８は、オス部材１１４の非アップセット外径にほぼ等しい離隔距離を脚部１９６間に設ける。脚部１９６は、上部スロット１５８の軸方向幅にほぼ等しいが、（隙間を与えるために）わずかに小さい軸方向幅を有する。脚部１９６の横幅は、上部スロット１５８の横幅より相当に狭く、それにより、（オス部材を挿抜するために）脚部１９６を外向きに拡開できるようにしている。
【００５５】
横部材１９８は、脚部１９６より相当に広い軸方向幅を有する。図２６に示されているように、横部材１９８は、脚部１９６の外面２０２と軸方向に整合しているが、脚部１９６の内面２０４を軸方向に越えて延出している。
【００５６】
各脚部１９６は、横部材１９８から遠い端部に形成されたラッチ２０６を有する。主リテーナ１１６をコネクタ本体１１２内へ完全に挿入すると、ラッチ２０６は主リテーナ１１６をコネクタ本体１１２に対して所定位置にロックする。ラッチ２０６によって画定されたラッチ縁部２１２が、コネクタ本体１１２の中央支持部材１５０によって画定されたロック肩部１６８に係合し、それにより、主リテーナ１１６を所定位置に解除可能にロックする。各脚部１９６は、図２７に見られる傾斜表面２０５を有し、これは中央支持部材１５０の上部横方向外側縁部と相互作用し、それによって主リテーナを上方に押し進める。脚部１９６の弾性特性が、この関係を確実にする。
【００５７】
解除突出部２０８が、横部材１９８のすぐ下側で各脚部１９６の内面２０４から突出している。解除突出部２０８は、横部材１９８が脚部１９６から軸方向に延出する距離にほぼ等しい距離だけ、脚部１９６から軸方向に延出している。図１〜図１８の実施形態の主リテーナ１６のランプまたはカム面などの、ランプまたはカム面が、各突出部２０８に形成されている。組み付けられたとき、ランプ面はコネクタ本体１１２の上部支持部材１４４の湾曲上面１４５のすぐ上方に載る。横部材１９８に圧力を加えて、主リテーナ１１６をコネクタ本体１１２内へさらに押し込むと、ランプ面が上部支持部材１４４を摺動する、すなわち、カム移動する。したがって、脚部１９６は広がって、ラッチが側部スロット１６２内で横断方向外向きに移動して、オス部材１１４を解放することができるようにする。
【００５８】
食い付き領域２１０が、脚部１９６の前面２０２に形成されている。これらの領域は、各脚部の前面２０２から半径方向および軸方向内向きに傾斜して、各脚部の外面２０２および内面１０４のほぼ中間で終了する。食い付き領域２１０間の空間は、外面２０２付近で最大である。この場合、その空間は、オス部材１１４に形成されたアップセット１９０の直径にほぼ等しい。食い付き領域２１０の内側縁部２１６において、食い付き領域２１０間の空間は、オス部材１１４の（非アップセット）外径にほぼ等しい。食い付き領域２１０の、ラッチ２０６により近い部分は２１８の位置で内向きに湾曲し、それにより、オス部材アップセット１９０の環状輪郭に一致している。この形状は、コネクタ本体１１２内を通るオス部材１１４の案内およびセンタリングを助ける。
【００５９】
オス部材１１４がコネクタ本体１１８内に完全に挿入された状態では、チューブアップセット１９１は、横断方向内壁１７１の内側のアップセット受け取り室に入っている。主リテーナ１１６の脚部１９６は、内面２０４がアップセット１９０の半径方向表面１９１に当接関係にあって、オス部材１１４がオス受け取り端部１２８から外向きに軸方向移動するのを阻止するように配置されている。
【００６０】
補助ラッチ／確認機構１１８が、図２８〜図３０に詳細に示されている。それは、底部スロット１６６内へ、および側部スロット１６２内へも挿入されて、コネクタ本体１１２に離脱可能に結合される。それは、底部支持部材１５６に対してコネクタ本体１１２を横切る方向で、湾曲した上部支持部材１４４に、したがって主リテーナ１１６に接近およびそれから離れる方向に、内側のラッチ位置と外側のラッチ解除位置との間を摺動可能である。それは好ましくは、プラスチックなどの弾性的な可撓性材料で成形される。
【００６１】
補助ラッチ／確認機構１１８は、底部スロット１６６に重なる半径方向内向きの表面２２７を有する連結部材２２４を備え、底部スロット１６６内に摺動可能に配置されたリテーナビーム２１９がこの連結部材から延出している。補助ラッチ／確認機構２１８は、１対の湾曲したほぼ弾性的なフィンガ２２２の形をした横方向部分も有し、これらは連結部材２２４から横方向に延出してから、リテーナビーム２１９と同一方向に内向きに延びている。連結部材の内側横方向延出壁から軸方向内向きにフランジ２２９が延出している。補助ラッチ／確認機構２１８がラッチ位置にあるとき、フランジ２２９は底壁１５７に比較的近接して重なる。したがって、フランジ２２９は、ねじ回しの刃または他の器具をフランジ２２９および底壁１５７の間に挿入し、それによって補助ラッチ／確認機構２１８をラッチ解除位置に押し進めることにより、補助ラッチ／確認機構をそのラッチ位置から移動させるのに役立つ。
【００６２】
各フィンガ２２２は、連結部材２２４から遠い端部に形成されたフック２３０を有する。補助ラッチ／確認機構がその外側のラッチ解除位置にあるとき、フック２２４によって画定されたノッチ２３２が、底部支持部材１５４によって画定されたロックリッジ１７２に係合し、それにより、補助ラッチ／確認機構２１８をコネクタ本体２１２に取り外し可能に固定する。
【００６３】
フック２３０および連結部材２２４間に位置する各フィンガ２２２の内面は、ランプ面２３４および横方向拡大表面２３６の形をとる移行表面と、保持ランド２３７とを画定する。２つのフィンガ２２２のランプ面２３４間の距離は、ロックリッジ１７２間の距離より短い。横方向拡大表面２３６間の距離は、ロックリッジ１７２の横方向外側縁部間の間隔より狭い。２つのフィンガの保持ランド２３７間の距離は、ロックリッジ１７２間の距離にほぼ等しい。
【００６４】
（コネクタ本体の方に向かう）下向きの力を連結部材２２４に作用することにより、補助ラッチ／確認機構１１８は、主リテーナ１１６の方に向かう横断方向にその内側のラッチ位置へ移動する。そのような力は、ロックリッジ１７２をノッチ２３２から押し出す。ランプ面２３４がロックリッジ１７２の上に載ってフィンガ２２２を外向きにたわませ、それにより、それらを拡開させて、拡大表面２３６がロックリッジ１７２を通過することができ、その時、ロックリッジ１７２は保持ランド２３７間に位置する。補助ラッチ／確認機構１１８は次に、フィンガ２２２の弾性的特性、および保持ランド２３７とロックリッジ１７２との相互作用により、その位置に解放可能に保持される。そのような位置にあるとき、補助ラッチ／確認機構はその「下方」すなわち「ラッチ」位置にある。ねじ回しの刃をフランジ２２９および底壁１５７間に挿入して、補助ラッチ／確認機構２１８をコネクタ本体２１２の外に押し進めることにより、上述したように、それを取り外してそのラッチ解除位置に移動させることができる。
【００６５】
図２１に最もわかりやすく見えるように、補助ラッチ／確認機構１１８がそのラッチ位置にあるとき、フィンガ２２２の自由端部に位置するフック２３０は、脚部１９６の自由端部に位置するラッチ２０６の横方向外側で側部スロット１６２内に位置している。フィンガ２２２上のフック２３０の内面間の距離は、主リテーナ１１６のラッチ２０６の位置における脚部１９６の外面間の距離よりわずかに長い。フィンガ２２２の軸方向幅は、脚部１９６の軸方向幅にほぼ等しい。注目すべきことに、フィンガ２２２の長さは、補助ラッチ／確認機構２１８がラッチ位置にあるとき、フィンガ２２２が脚部１９６の外向きのたわみを妨害し、それにより、フィンガ１９６が中央支持部材１５０のロック肩部１６８に確実にロックされたままであるようにする長さである。
【００６６】
リテーナビーム２１９は、横方向拡大部分２２０および細幅部分２２１を有する。拡大部分２２０の横幅は、中央支持部材１５０の離間壁面１６７と底部支持部材１５４の離間壁面１６９との間の底部スロット１６６の拡大部分の横幅よりわずかに狭い。細幅部分２２１の横幅は、横方向に離間した壁１７５の間の底部スロット１６６の細幅部分の横幅よりわずかに狭い。
【００６７】
図２８に最もわかりやすく見えるように、リテーナビーム２１９の断面は「Ｔ」字形である。細幅部分２２１が「Ｔ」字形の脚を形成し、拡大部分２２０が「Ｔ」字形の上部の横棒を形成する。リテーナビーム２１９は拡大部分２２０上に、コネクタ本体１１２の底部スロット１６６の内壁１７１と向き合う内側または後壁面２２８を有する。リテーナビームの細幅部分１６９は、コネクタ本体１１２の底部スロット１６６の前壁１７３と向き合う外側または前壁面２２６を有する。リテーナビーム２１９は拡大部分２２０に、底部支持部材１５４の壁面１６９および中央支持部材１５０の壁面１６７に対して近接した位置で摺動可能である横方向側壁を有する。図２０および図２１に最もわかりやすく見えるように、リテーナビーム２１９の細幅部分２２１は、底部スロット１６６の細幅部分の横方向壁１７５に対して近接した位置で摺動可能である横方向側壁を有する。
【００６８】
したがって、上述したように、補助ラッチ／確認機構１１８のリテーナビーム２１９は、コネクタ本体１１２の底部スロット１６６内に摺動可能に受け取られて支持される。したがって、補助ラッチ／確認機構１１８がそのラッチ解除およびラッチ位置間を移動できるように、底部スロット１６６の壁は、リテーナビーム２１９を、従って補助ラッチ／確認機構１１８を底部スロット内に摺動可能に支持する。リテーナビームは、補助ラッチ／確認機構１１８がラッチ位置にあるとき、貫通内孔１２６内に露出する長さを有する。
【００６９】
リテーナビーム２１９の拡大部分２２０の内壁面２２８は、当接面を画定する。リテーナビーム２１９の長さは、補助ラッチ／確認機構１１８がラッチ位置にあるとき、当接面２２８がオス部材１１４のアップセット１９０の半径方向表面１９１に当接するように配置されるような長さである。
【００７０】
リテーナビーム１１８の半径方向内側端部は、オス部材１１４を形成するチューブの外面１９５の曲率に一致するように湾曲したチューブ側表面２２３を画定している。補助ラッチ／確認機構１１８がラッチ位置にあり、リテーナビーム２１９の内壁面２２８がチューブ１１４の半径方向当接面１９１に当接した関係にあるとき、チューブ側表面２２３は、アップセット１９１の後方でチューブ１１４の外面１９５と接近位置で向き合う関係にある。
【００７１】
すなわち、アップセットは、本体１１２のリテーナ部分１３２の壁１７１の軸方向内側にあるコネクタ本体１１８のアップセット受け取り室内に配置される。脚部１９６上の内側当接面２０４は、アップセット１９０の表面１９１に当接した関係に配置され、それにより、オス部材１９０が本体１１２のオス受け取り端部１２８から抜けることを阻止する。リテーナビームの内壁面２２８も同様にアップセット１９０の半径方向表面１９１に当接した関係に配置されて、同様にオス部材１１４の抜けを阻止する。
【００７２】
図１〜図１８の実施形態に関して図１４に示されているように、シール室１３４内に２つのＯリングシールが配置されて、剛性スペーサリングによって分離されている。これらの構成部品の説明を図１９〜図３０の実施形態では個別に繰り返さないが、等しく適用可能である。第１実施形態の場合のように、Ｏリングは、シール室１３４の内側およびオス部材１１４のシール表面１９４の周囲に締まりばめされる寸法である。Ｏリングは、中空のスペーサスリーブによってシール室１３４内に固定されている。スペーサスリーブには、内壁１２２の円錐形肩部１７８に当接し、それにより、スリーブを内孔内に位置決めする円錐形拡大端部が設けられている。スリーブの外周に隆起環状部分が形成されており、内壁１２２に対応の環状リセス２５８が形成されている（図２３を参照）。スペーサスリーブの隆起部分は、内壁１２２に形成されたリセス２５８内にはめ合い状に受け取られ、それによってスリーブを所定位置にロックするであろう。
【００７３】
本発明によれば、リテーナビーム２１９の細幅部分２２１の前方または後向きの表面２２６は、カムまたはランプ面２３３によって画定された面取り部分を備える。補助ラッチ／確認機構１１８をコネクタ本体１１２に取り付けるとき、カムまたはランプ面２３３はコネクタ本体１１８のオス受け取り端部１２８の方に面する。
【００７４】
補助ラッチ／確認機構１１８がそのラッチ位置にあるとき、カム面２３３は、オス部材１１４の挿入時にアップセット１９０と接触する位置にある。ランプ面は、リテーナビームを半径方向外向きに押し進める力をリテーナビーム２１９に加えるような形状になっている。オス部材を挿入すると、リテーナビームが外向きに押し進められて、補助ラッチ／確認機構１１８がラッチ解除位置に移動する。それから、オス部材１１４をコネクタ本体１１２内へ完全に挿入することができる。オス部材１１４をコネクタ本体内へ完全に挿入した後、補助ラッチ／確認機構１１８をそのラッチ位置へ半径方向内向きに押し込んで、内面２２８をアップセット１９０の半径方向表面１９１に当接する位置に置く。
【００７５】
図示の補助ラッチ／確認機構１１８では、ランプ面２３３がリテーナビームの前面２２６に対して６０°（度）の角度をなす。ビームを底部スロット１６６に摺動可能にはめ込むとき、それは中心線または軸１２４に対してほぼ垂直に位置決めされる。したがって、ランプ面２３３はコネクタ本体１１２の軸１２４に対して約３０°の角度をなして、オス受け取り端部１２８の方に向かって広がっている。
【００７６】
カム面に使用される角度は重要ではない。オス部材１１４の挿入中に加えられる軸方向力が、補助ラッチ／確認機構１１８をそのラッチ位置からそのラッチ解除位置に並進させるのに十分でありさえすればよい。
【００７７】
図１９〜図３０の実施形態の組み付け状態の急速継手が、図１９〜図２１に最もわかりやすく見える。主リテーナ１１６をコネクタ本体１１２に取り付ける。主リテーナ１１６の脚部１９６をリテーナハウジング部分１３２の上部スロット１５８に通して延出させる。主リテーナ１１６は、横部材１９８および解除突出部２０８が上部支持部材１４４の湾曲上面１４５の上方に位置するような向きにされる。脚部１９６の食い付き領域２１０がオス部材受け取り端部１２８と向き合う。
【００７８】
横部材１９８に下向き力を加えることによって脚部１９６を上部スロット１５８に挿入することにより、主リテーナ１１６がコネクタ本体１１２に取り付けられる。脚部１９６が中央支持部材１５０の側部と接触したとき、下向き力を増加する必要がある。十分な下向き力を加えると、脚部１９６の丸み付き端部が中央支持部材１５０の側部を摺動し、脚部１９６を拡開させて、脚部１９６が中央支持部材１５０を通過できるようにする。脚部１９６上のラッチ２０６が中央支持部材１５０を通り過ぎると、脚部１９６は横方向内向きに跳ねて、ラッチ縁部２１２が中央支持部材１５０のロック肩部１６８の下側に配置され、それにより、主リテーナ１１６がコネクタ本体１１２に解除可能にロックされる。
【００７９】
適切に取り付けられた主リテーナ１１６が、図２０および図２１に示されている。取り付け位置では、側部から見たとき、主リテーナ１１６の脚部１９６は、内孔１２６の軸１２４に対してほぼ垂直である。前方または後方から見たとき、脚部１９６は内孔１２６の軸１２４からほぼ等間隔に位置する。
【００８０】
補助ラッチ／確認機構１１８を底部スロット１６６にはめ込むことにより、コネクタの組付けが完了する。図１９〜図３０に示されている本実施形態では、補助ラッチ／確認機構１１８は、図２１に示されているように、ロックリッジ１７２が保持ランド２３７の背後に位置した状態で、取り外し可能に位置決めされる。それにより、補助ラッチ／確認機構はその内側のラッチ位置にある。注目すべきことに、そのような位置にあるとき、リテーナビーム２１９のカム面２３３は、コネクタ１１２のオス部材受け取り端部１２８と向き合い、主リテーナ１１６の脚部１９６の傾斜食い付き領域２１０の中間で貫通穴１２６内に露出される。
【００８１】
主リテーナ１１６および補助ラッチ／確認機構１１８をコネクタ本体１１２に取り付けた状態で、オス部材１１４をコネクタ本体１１２に挿入し、それにより、流体経路を完成する。オス部材１１４を挿入するとき、チューブ１１４の端部または先端１９２が脚部１９６の各食い付き傾斜面２１０と接触する。脚部１９６間の空間がオス部材１１４の非アップセット外径にほぼ等しいので、オス部材１１４のシール表面１９４は、抵抗をほとんど、またはまったく受けないで、脚部１９６間を通ってシール室１３４に入る。
【００８２】
オス部材１１４のアップセット１９０が脚部１９６と接触するとき、挿入に対する抵抗が発生する。十分な軸方向内向きの力を加えるときだけ、脚部１９６の食い付き領域２１０によってアップセット１９０が脚部間を通過することができる。アップセット１９０が脚部１９６間を通過するとき、それは食い付き領域２１０に沿って載って、脚部１９６を半径方向または横方向外向きにたわませる。アップセット１９０が脚部を通過すると、脚部１９６はアップセット１９０の背後でロック位置に跳ね返り、ラッチ縁部１１２が中央支持部材のロック肩部１６８に係合する。アップセット１９１は、リテーナハウジング部分１３２の壁１７１と内孔１２６の円錐形肩部１７８との間に画定されたアップセット受け取り室内に配置される。脚部１９６の内面２０４がアップセットの半径方向表面１９１に当接し、それにより、後に意図しないでオス部材１１４がコネクタ本体１１２から抜けることを防止する。図１〜図１８の実施形態に示されているようなスペーサスリーブが、コネクタ本体１１２の内壁１２２上に画定された円錐形肩部１７８と協働して、オス部材１１４がロック位置からさらに内向きに挿入されることを防止する。
【００８３】
図１９ないし図３０の実施形態に示されているような本発明の特徴に重要なことに、アップセット１９０が主リテーナ１１６の脚部１９６の傾斜食い付き領域２１０と接触するとき、それは補助ラッチ／確認機構１１８のリテーナビーム２１９のカム面２３０とも接触する。チューブまたはオス部材１１４の挿入に向けた継続的な軸方向圧力は、リテーナビーム２１９にコネクタ本体１１２から離れる上向きの力を加える。フィンガ２２２の弾性的な性質により、それらは拡開して、補助ラッチ／確認機構１１８が底部スロット１１６内をそのラッチ位置からそのラッチ解除位置へ摺動することができる。横方向拡大表面２３６がロックリッジ１７２を通過すると、フィンガ２２２のランプ面２３４がロックリッジ１７２の外縁部と相互作用して、補助ラッチ／確認機構の横断方向外向き移動を容易にする。
【００８４】
ラッチ解除位置では、フィンガ２２２のフック２３０のノッチ２３２が、底部支持部材１５４のロックリッジ１７２を捕らえる。この位置で、保持リテーナビーム２１９の湾曲した当接面２２３は、軸すなわち中心線１２４から半径方向外側に間隔をおいて位置し、それにより、チューブアップセット１９０が通ることができるようになっている。
【００８５】
上述したように、チューブアップセット１９０は、主リテーナ１１６の脚部１９６を外向きにたわませて、アップセット１９０が図１〜図１８の実施形態に示されているような内部スペーサスリーブおよび貫通内孔１２６内の円錐形肩部１７８と接触することによってさらなる内向き移動が阻止されるまで、中央内孔１２６内を内向きに通ることができる。そのような位置にあるとき、半径方向に拡大したアップセット１９０の後側の表面１９１は、細長い脚部１９６の後面２０４の軸方向内側に位置し、その後面はアップセット１９０の半径方向表面１９１に当接した関係にある。脚部は、それらの弾性的な特性によって内向きにたわみ、それにより、アップセット１９１を後面２０４の内側にロックする。
【００８６】
補助ラッチ／確認機構１１８がラッチ解除すなわち上方位置にあるとき、横部材１９８に下向き力を加えることによって、オス部材１１４を脚部１９６の背後のロック位置から解放することができる。横部材１９８に下向き力を加えることにより、解除突出部２０８のカム面がコネクタ本体１１２の上部支持部材１４４の湾曲上面１４５と接触する。下向きの力を加え続けると、解除突出部２０８のランプ面が上部支持部材１４４に接しながら摺動またはカム移動して、脚部１９６を横方向に拡開させる。最終的に、アップセット１９０が脚部１９６間を外向きに通り抜けるようにするのに十分な距離だけ、脚部１９６が拡開するであろう。これにより、オス部材１１４をコネクタ本体１１２から引き抜くことができる。部材１１４をコネクタ本体１１２から引き抜いて主リテーナ１１６が弛緩すると、主リテーナ１１６はその通常設置位置に戻り、傾斜表面２０５が中央支持部材１５０に接して相互作用することによって横部材１９８が上方へ押し進められる。
【００８７】
特に図２０および図２１を参照しながら、補助ラッチ／確認機構の動作を説明する。両図面において、オス部材１１４は脚部１９６の内壁２０４を軸方向に越えて貫通内孔１２６内に挿入されている。脚部は、それらのたわんでいない位置に戻った状態に示され、ラッチ縁部１１２が中央支持部材１５０のロック肩部１６８に当接して捕らえられている。上記説明から理解されるように、上述したようなオス部材１１４の挿入により、補助ラッチ／確認機構１１８がコネクタ本体１１２から離れる方向に図２０に示されたラッチ解除位置へ上向きに移動する。
【００８８】
補助ラッチ／確認機構１１８をラッチ位置に配置するために、連結部材２２４に下向き力を加える。十分な下向き力により、フィンガ２２２のランプ面２３４がロックリッジ１７２の側部を摺動して、フィンガ２２２を拡開させ、フィンガが底部支持部材１５４を越えて半径方向内向きに進むことができるようにする。図２０および図２１に示されているように、オス部材１１４をコネクタ本体１１２に適切に挿入すると、補助ラッチ／確認機構は、図２０に示されたラッチ位置に移動し、その場合、補助ラッチ／確認機構１１８のフィンガ２２２の自由端部またはフック２３０が主リテーナ１１６の脚部１９６の横方向外側に位置する。図２１に最もわかりやすく見られるように、補助ラッチ／確認機構１１８がラッチ位置にあるとき、フック２３０は、主リテーナ１１６の細長い脚部１９６の横方向または横断方向外向きのたわみを阻止することができる位置にある。この相互作用は、脚部１９６を外向きにたわませ、それによってオス部材を貫通内孔１２６から引き出すことができるようにする横部材１９８の内向き操作を阻止する。
【００８９】
同時に、リテーナビーム２１９は、オス部材１１４の方に向けて半径方向内向きに移動する。ラッチ位置では、リテーナビーム２１９の内壁２２８は、オス部材１１４のアップセット１９０の表面１９１に軸方向に当接した関係にある。リテーナビーム２１９およびアップセット１９０間のこの軸方向当接関係も、オス部材１１４がチューブ受け取り端部１２８から軸方向外向きに軸方向移動することを防止して、オス部材１１４をコネクタ本体１１２内に保持する補助ラッチ特徴を与える。
【００９０】
図１９〜図３０の急速継手構造で得られる特定の利点は、コネクタ本体１１２、主リテーナ１１６および補助ラッチ／確認機構１１８を一緒に組み合わせることができ、さらに、補助ラッチ／確認機構１１８をラッチ位置に配置することができることである。コネクタ本体１１２および対応の主リテーナ１１６および補助ラッチ／確認機構１１８を流体系内に組み込んで、オス部材１１４を挿入すると、オス部材が補助ラッチ／確認機構をラッチ解除位置に変位させる。オス部材１１４を貫通内孔１２６内へ完全に挿入して、半径方向壁１９１が脚部１９６の当接内面２０４の内側にあるようにアップセット１９０を位置決めすると、補助ラッチ／確認機構１１８を、チューブ側表面２２３がチューブ表面１９５に近接するラッチ位置へ移動させることができ、リテーナビーム２１９もアップセット１９０の外向き移動を阻止する位置に置かれる。
【００９１】
重要なことに、図１〜図１８の実施形態の場合のように、オス部材１１４が不完全に挿入されている場合、リテーナビーム２１９の自由端部に位置するチューブ側表面２２３がアップセット１９０と接触して、補助ラッチ／確認機構１１８がラッチ位置に移動するのを阻止する。このように補助ラッチ／確認機構１１８がラッチ位置へ移動することができないことは、オス部材１１４の挿入が不完全であって、主リテーナ１１６の脚部１９６によって軸方向分離が阻止される固定状態にないことを表すであろう。
【００９２】
図３１〜図３４は、本発明の急速継手のさらなる変更形を示す。この実施形態では、図１〜図３０の実施形態に関連してすでに説明した特徴を補足するために、外部から見えるさらなるラッチ構造が追加されている。
【００９３】
特に図３１〜図３４を参照すると、取り外し可能な流体接続部においてオス部材３１４を受け取るメスコネクタ本体３１２を有する急速継手３１０が示されている。継手は、主リテーナ３１６および補助ラッチ／確認機構３１８を備える。これらの構成部品は、先行の実施形態に関連して説明したように構成されて相互作用する。しかし、本実施形態では、外部から見えるラッチ／確認機構という追加特徴が具現されている。
【００９４】
図３３に最もわかりやすく見えるように、オス部材３１４は、図１〜図３０の実施形態のオス部材とは幾分異なる。オス部材３１４は、先端または端部３９２と、先端から所定距離をおいた位置のアップセット３９０とを有する。オス部材３１４はまた、チューブに沿って先端３９２から離れる方向にアップセット３９０から所定距離をおいた位置に第２アップセット３９３を有する。アップセット３９３は、半径方向環状表面３９７を有する。
【００９５】
オス部材３１４は、図１〜図３０の実施形態に関連して説明されているようにして、メス本体３１２、主リテーナ３１６および補助ラッチ／確認機構３１８と相互作用する。しかし、本実施形態では、チューブ部材３１４をコネクタ本体３１２内に完全に挿入して、主リテーナ３１６および補助ラッチ／確認機構３１８によって取り外し可能に固定したとき、第２アップセット３９３がコネクタ本体の外に露出する。
【００９６】
図３１〜図３４に示されているように、補助ラッチ／確認機構３１８は、図１９〜図３０の実施形態に関連して説明した部材のすべてを有する。それはさらに、コネクタ本体３１２の軸３２４に平行に前方に延出して横断方向外部ラッチ／確認機構３４８を支持する前向きの支持バー３４６を備える。外部ラッチ／確認機構３４８および支持バー３４６は、バー３４５、外部ラッチ／確認機構３４８および補助ラッチ／確認機構３１８に一体成形された補強ウェブに接続されている。
【００９７】
図３４に示されているように、外部ラッチ／確認機構３４８は、支持バー３４６から半径方向に延出して、終端が脚部３５３を有する横断方向フランジ３５２になっている。フランジ３５２は、チューブ３１２の外側円筒形表面とほぼ同一の曲率を有する内側湾曲面３５４を有する。脚部３５３の横断方向外側部分（extent）は、第２アップセット３９３の外側湾曲面とほぼ同一の曲率を有する短い湾曲セグメント３５７を有する。
【００９８】
バー３４６の軸方向長さおよび外部ラッチ／確認機構３４８の半径方向長さは、補助ラッチ／確認機構３１８がラッチ位置にあるとき、内側湾曲表面３５４がオス部材３１４に第２アップセット３９３の半径方向表面３９７の背後または外側と接近位置で向き合う関係にあるようにするものである。フランジは、オス部材３１４の環状外側半径方向表面３９７に軸方向に当接する関係に配置された横断方向当接面３５８を画定する。オス部材３１４がコネクタ本体３１２内へ不完全に挿入されて、第１アップセットが主リテーナ３１６の脚部および補助ラッチ／確認機構３１８のリテーナビームの内側に捕らえられない場合、短い湾曲セグメント３５７が第２アップセット３９３の外周と接触して、適切に接続されていないことを視覚表示する。
【００９９】
図３３に最もわかりやすく見えるように、ウェブ３５０には、オス部材またはチューブ３１４がコネクタ本体３１２内に完全に挿入された時にウェブ３５０および第２アップセット３９３間に隙間を与える切り欠き領域３５１が設けられている。コネクタ本体３１２は、ウェブ３５０の存在に対応して、図１〜図１８の実施形態に関連して示したスロット４１などの前方スロットを有する。補助ラッチ／確認機構３１８がそのラッチおよびラッチ解除位置間を移動するのに伴って、ウェブ３５０はスロット内をコネクタ本体３１２の内孔の半径方向に摺動可能である。
【０１００】
図示して記載した実施形態を参照しながら、本発明のさまざまな特徴を説明してきた。添付の特許請求の範囲によって定義されるような本発明の精神および範囲から逸脱することなく、多くの修正を加えることができることを理解しなければならない。
【図面の簡単な説明】
【０１０１】
【図１】本発明に従った急速継手の分解図である。
【図２】図１のメスコネクタ本体の斜視図である。
【図３】図２のメスコネクタ本体の側面図である。
【図４】図２のメスコネクタ本体の背面図である。
【図５】図４のコネクタ本体の５−５線に沿った断面図である。
【図６】図３のコネクタ本体の６−６線に沿った断面図である。
【図７】図１の主リテーナの正面図である。
【図８】図７の主リテーナの側面図である。
【図９】図５の主リテーナの背面図である。
【図１０】図１の補助ラッチ／確認機構の斜視図である。
【図１１】図１０の補助ラッチ／確認機構の上面図である。
【図１２】図１０の補助ラッチ／確認機構の背面図である。
【図１３】図１０の補助ラッチ／確認機構の側面図である。
【図１４】図１のコネクタ本体の、シール部材をシール室内に配置した状態での断面図である。
【図１５】図１の継手の、主リテーナがロック位置にあり、補助ラッチ／確認機構がラッチ解除位置にある状態での側面図である。
【図１６】図１５の継手の、１６−１６線に沿った断面図である。
【図１７】図１の継手の、主リテーナがロック位置にあり、補助ラッチ／確認機構がラッチ位置にある状態での断面図である。
【図１８】図１の継手の、主リテーナがロック解除位置にあり、補助ラッチ／確認機構がラッチ解除位置にある状態での側面図である。
【図１９】本発明の特徴を具現し、図１〜図１８の実施形態の急速継手と比べて追加能力を有する別の急速継手構造の平面図である。
【図２０】継手構成部品が流体管路への接続を完了する間の特定の関係にあるところを示す、図１９の急速継手の図１９の２０−２０線に沿った断面の平面図である。
【図２１】継手構成部品が流体管路への接続を完了する間の別の関係にあるところを示す、図１９の急速継手の図１９の２０−２０線に沿った断面の平面図である。
【図２２】図１９の急速継手のコネクタ本体の斜視図である。
【図２３】図１９の急速継手のコネクタ本体の断面の側面図である。
【図２４】図２３のコネクタ本体の、図２３の２４−２４線に沿った断面の平面図である。
【図２５】図１９の急速継手の主リテーナの斜視図である。
【図２６】図１９の急速継手の主リテーナの側面図である。
【図２７】図１９の急速継手の主リテーナの平面図である。
【図２８】図１９の急速継手の補助ラッチ／確認機構の斜視図である。
【図２９】図１９の急速継手の補助ラッチ／確認機構の側面図である。
【図３０】図１９の急速継手の補助ラッチ／確認機構の平面図である。
【図３１】本発明の原理を具現する急速継手の修正形の側面図である。
【図３２】図３１の急速継手の端面図である。
【図３３】図３１の急速継手の断面の側面図である。
【図３４】図３１の実施形態の補助ラッチ／確認機構の破断図である。
【図１】
2005291497.tif 000003
【図２】
2005291497.tif 000004
【図３】
2005291497.tif 000005
【図４】
2005291497.tif 000006
【図５】
2005291497.tif 000007
【図６】
2005291497.tif 000008
【図７】
2005291497.tif 000009
【図８】
2005291497.tif 000010
【図９】
2005291497.tif 000011
【図１０】
2005291497.tif 000012
【図１１】
2005291497.tif 000013
【図１２】
2005291497.tif 000014
【図１３】
2005291497.tif 000015
【図１４】
2005291497.tif 000016
【図１５】
2005291497.tif 000017
【図１６】
2005291497.tif 000018
【図１７】
2005291497.tif 000019
【図１８】
2005291497.tif 000020
【図１９】
2005291497.tif 000021
【図２０】
2005291497.tif 000022
【図２１】
2005291497.tif 000023
【図２２】
2005291497.tif 000024
【図２３】
2005291497.tif 000025
【図２４】
2005291497.tif 000026
【図２５】
2005291497.tif 000027
【図２６】
2005291497.tif 000028
【図２７】
2005291497.tif 000029
【図２８】
2005291497.tif 000030
【図２９】
2005291497.tif 000031
【図３０】
2005291497.tif 000032
【図３１】
2005291497.tif 000033
【図３２】
2005291497.tif 000034
【図３３】
2005291497.tif 000035
【図３４】
2005291497.tif 000036
【外国語明細書】
2005291497.tif 000037
2005291497.tif 000038
2005291497.tif 000039
2005291497.tif 000040
2005291497.tif 000041
2005291497.tif 000042
2005291497.tif 000043
2005291497.tif 000044
2005291497.tif 000045
2005291497.tif 000046
2005291497.tif 000047
2005291497.tif 000048
2005291497.tif 000049
2005291497.tif 000050
2005291497.tif 000051
2005291497.tif 000052
2005291497.tif 000053
2005291497.tif 000054
2005291497.tif 000055
2005291497.tif 000056
2005291497.tif 000057
2005291497.tif 000058
2005291497.tif 000059
2005291497.tif 000060
2005291497.tif 000061
2005291497.tif 000062
2005291497.tif 000063
2005291497.tif 000064
2005291497.tif 000065
2005291497.tif 000066
2005291497.tif 000067
2005291497.tif 000068
2005291497.tif 000069
2005291497.tif 000070
2005291497.tif 000071
2005291497.tif 000072
2005291497.tif 000073
2005291497.tif 000074
2005291497.tif 000075
2005291497.tif 000076
2005291497.tif 000077
2005291497.tif 000078
2005291497.tif 000079
2005291497.tif 000080
2005291497.tif 000081
2005291497.tif 000082
2005291497.tif 000083
2005291497.tif 000084
2005291497.tif 000085
2005291497.tif 000086
2005291497.tif 000087
2005291497.tif 000088
2005291497.tif 000089
2005291497.tif 000090
2005291497.tif 000091
2005291497.tif 000092
2005291497.tif 000093
2005291497.tif 000094